(57)【要約】【課題】可動体の外観やその種類をより低コスト且つ容易に変更することが可能な遊技機を提供する。【解決手段】所定動作が可能な可動体６２ａ，６２ｂと、可動体６２ａ，６２ｂを駆動する駆動源４６ａ，４６ｂとを有する可動演出手段を備えた遊技機で、可動演出手段を、駆動源４６ａ，４６ｂが搭載されたベース体３５と、可動体６２ａ，６２ｂが搭載され且つベース体３５に対して着脱自在に設けられた着脱体３６とで構成し、着脱体３６をベース体３５に装着することによって駆動源４６ａ，４６ｂと可動体６２ａ，６２ｂとが連動状態となり、着脱体３６をベース体３５から取り外すことによって連動状態が解除されるように構成する。【選択図】図８
2014087460.tif 000002
【特許請求の範囲】
【請求項１】
所定動作が可能な可動体と、前記可動体を駆動する駆動源とを有する可動演出手段を備えた遊技機において、前記可動演出手段は、前記駆動源が搭載されたベース体と、前記可動体が搭載され且つ前記ベース体に対して着脱自在に設けられた着脱体とを備え、前記着脱体を前記ベース体に装着することによって前記駆動源と前記可動体とが連動状態となり、前記着脱体を前記ベース体から取り外すことによって前記連動状態が解除されるように構成されていることを特徴とする遊技機。
【請求項２】
前記着脱体を前記ベース体に装着した状態でロックするロック手段を備え、前記ロック手段は前記可動演出手段の前側からロック解除可能に構成されていることを特徴とする請求項１に記載の遊技機。
【請求項３】
前記着脱体側を発光させるための光源を前記ベース体側に設けたことを特徴とする請求項１又は２に記載の遊技機。
【請求項４】
前記ベース体側に設けられた前記光源から発せられた光を前記着脱体側の所定部位に導く導光手段を前記着脱体側に設けたことを特徴とする請求項３に記載の遊技機。
【請求項５】
前記可動体が所定動作位置にあることを検出する位置検出手段を備え、前記位置検出手段を前記ベース体上に設けたことを特徴とする請求項１〜４の何れかに記載の遊技機。
【請求項６】
前記位置検出手段は、前記可動体が前記所定動作位置にきたときに、前記可動体上又は前記可動体と同期して動作する連動体上の所定部位を検出するように構成されており、前記着脱体を前記ベース体に装着することによって前記位置検出手段が前記所定部位を検出可能な状態となるように構成されていることを特徴とする請求項５に記載の遊技機。
【請求項７】
遊技機本体に対して着脱可能な遊技盤と、前記遊技盤に着脱可能に装着される遊技部品とを備え、前記遊技部品は、前記遊技盤に形成された遊技部品装着孔に対応して前記遊技盤の前側に装着される前装着体と、前記遊技部品装着孔に対応して前記遊技盤の裏側に装着される後装着体とを備え、前記可動演出手段は前記後装着体上に設けられており、前記着脱体は、前記前装着体を前記遊技盤から取り外した状態で前記遊技部品装着孔を介して前記遊技盤の前側から着脱可能に構成されていることを特徴とする請求項１〜６の何れかに記載の遊技機。
【発明の詳細な説明】
【技術分野】
【０００１】
本発明は、パチンコ機、アレンジボール機、スロットマシン等の各種遊技機に関するものである。
【背景技術】
【０００２】
パチンコ機等の遊技機では、近年、大型の液晶表示手段を搭載したものが主流となっており、各社とも、その液晶表示手段に表示する演出画像等により他社製品との差別化を図ってきたが、液晶表示手段に表示するバーチャルな演出画像による差別化のみではもはや他社製品との差別化を十分に図ることが難しくなってきている。そこで、画像による演出に機械的な動作を組み合わせてより演出効果を高めようと、例えば液晶表示手段の近傍に可動体を設けたものが開発されている（特許文献１参照）。
【０００３】
例えば特許文献１に記載のパチンコ機では、前後方向の軸廻りに揺動可能な可動体を備えた可動演出手段が、液晶表示手段の上側に配置されている。この可動演出手段は、ベース体上に、可動体の他、可動体を駆動する駆動源、可動体が所定の原点位置にあることを検出する原点センサ等が配置された１つの可動体ユニットとして構成されている。
【先行技術文献】
【特許文献】
【０００４】
【特許文献１】特開２００９−１６０２９３号公報
【発明の概要】
【発明が解決しようとする課題】
【０００５】
特許文献１に記載のパチンコ機に搭載されているような従来の可動演出手段は、分離不可能な１つの可動体ユニットに駆動手段や可動体が組み込まれた構成となっているため、例えば基本的構成部品はそのまま流用しつつ遊技機の外観のみを変更する、いわゆる表替えによる機種変更を行う場合、可動体の種類（ドラム、シャッター等）を変更するだけであっても駆動源等を含む可動体ユニット全体を交換する必要があり、コスト高であると共に作業効率が悪いという問題があった。
【０００６】
本発明は上記事情に鑑みてなされたものであり、可動体の外観やその種類をより低コスト且つ容易に変更することが可能な遊技機を提供することを目的とする。
【課題を解決するための手段】
【０００７】
本発明は、所定動作が可能な可動体６２ａ，６２ｂ，１０１ａ，１０１ｂ，１２１と、前記可動体６２ａ，６２ｂ，１０１ａ，１０１ｂ，１２１を駆動する駆動源４６ａ，４６ｂとを有する可動演出手段３３を備えた遊技機において、前記可動演出手段３３は、前記駆動源４６ａ，４６ｂが搭載されたベース体３５と、前記可動体６２ａ，６２ｂ，１０１ａ，１０１ｂ，１２１が搭載され且つ前記ベース体３５に対して着脱自在に設けられた着脱体３６とを備え、前記着脱体３６を前記ベース体３５に装着することによって前記駆動源４６ａ，４６ｂと前記可動体６２ａ，６２ｂ，１０１ａ，１０１ｂ，１２１とが連動状態となり、前記着脱体３６を前記ベース体３５から取り外すことによって前記連動状態が解除されるように構成されているものである。
【０００８】
また、前記着脱体３６を前記ベース体３５に装着した状態でロックするロック手段７１ａ〜７１ｄを設け、前記ロック手段７１ａ〜７１ｄは前記可動演出手段３３の前側からロック解除可能に構成してもよい。
【０００９】
また、前記着脱体３６側を発光させるための光源９３を前記ベース体３５側に設けてもよい。この場合、前記ベース体３５側に設けられた前記光源９３から発せられた光を前記着脱体側の所定部位に導く導光手段１４２を前記着脱体３６側に設けてもよい。
【００１０】
また、前記可動体６２ａ，６２ｂ，１０１ａ，１０１ｂ，１２１が所定動作位置にあることを検出する位置検出手段６４ａ，６４ｂ，１０３ａ，１０３ｂ，１２３を前記ベース体３５上に設けてもよい。その場合、前記位置検出手段６４ａ，６４ｂは、前記可動体６２ａ，６２ｂ，１０１ａ，１０１ｂ，１２１が前記所定動作位置にきたときに、前記可動体６２ａ，６２ｂ，１０１ａ，１０１ｂ，１２１上又は前記可動体６２ａ，６２ｂ，１０１ａ，１０１ｂ，１２１と同期して動作する連動体８５ａ，８６ｂ，１１２ａ，１１２ｂ，１３０上の所定部位９１ａ，９１ｂ，１１３ａ，１１３ｂ，１３２を検出するように構成し、前記着脱体３６を前記ベース体３５に装着することによって前記位置検出手段６４ａ，６４ｂ，１０３ａ，１０３ｂ，１２３が前記所定部位９１ａ，９１ｂ，１１３ａ，１１３ｂ，１３２を検出可能な状態となるように構成してもよい。
【００１１】
また、遊技機本体１に対して着脱可能な遊技盤１１と、前記遊技盤１１に着脱可能に装着される遊技部品１４とを備え、前記遊技部品１４は、前記遊技盤１１に形成された遊技部品装着孔１１ａに対応して前記遊技盤１１の前側に装着される前装着体２１と、前記遊技部品装着孔１１ａに対応して前記遊技盤１１の裏側に装着される後装着体２３とを備えた構成とし、前記可動演出手段３３は前記後装着体２３上に設け、前記着脱体３６は、前記前装着体２１を前記遊技盤１１から取り外した状態で前記遊技部品装着孔１１ａを介して前記遊技盤１１の前側から着脱可能に構成してもよい。
【発明の効果】
【００１２】
本発明によれば、可動体の外観やその種類をより低コスト且つ容易に変更することが可能となる。
【図面の簡単な説明】
【００１３】
【図１】本発明の第１の実施形態を示すパチンコ機の全体正面図である。
【図２】同パチンコ機の中央表示ユニットを構成する後装着体の正面図である。
【図３】同パチンコ機の中央表示ユニットを構成する後装着体における可動演出ユニットおよびその近傍の正面断面図である。
【図４】同パチンコ機の中央表示ユニットを構成する後装着体における可動演出ユニットおよびその近傍の平面断面図である。
【図５】同パチンコ機の中央表示ユニットを構成する後装着体における可動演出ユニットおよびその近傍の平面断面図である。
【図６】同パチンコ機の遊技盤における可動演出ユニットおよびその近傍の側面断面図である。
【図７】同パチンコ機の遊技盤における可動演出ユニットおよびその近傍の分解側面断面図である。
【図８】同パチンコ機の可動演出ユニットの分解斜視図である。
【図９】同パチンコ機の可動演出ユニットの駆動系を示す説明図である。
【図１０】本発明の第２の実施形態を示すパチンコ機の中央表示ユニットを構成する後装着体における可動演出ユニットおよびその近傍の正面断面図である。
【図１１】同パチンコ機の遊技盤における可動演出ユニットおよびその近傍の側面断面図である。
【図１２】本発明の第３の実施形態を示すパチンコ機の中央表示ユニットを構成する後装着体における可動演出ユニットおよびその近傍の平面断面図である。
【図１３】同パチンコ機の遊技盤における可動演出ユニットおよびその近傍の側面断面図である。
【図１４】本発明の第４の実施形態を示すパチンコ機の中央表示ユニットを構成する後装着体における可動演出ユニットおよびその近傍の平面断面図である。
【図１５】同パチンコ機の可動演出ユニットの分解斜視図である。
【図１６】本発明の変形例を示すパチンコ機の中央表示ユニットを構成する後装着体の正面図である。
【発明を実施するための形態】
【００１４】
以下、本発明の実施形態を図面に基づいて詳述する。図１〜図９は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【００１５】
前面板５には、その前側に、発射手段（図示省略）に供給するための遊技球を貯留する貯留皿６、発射手段を作動させるための発射ハンドル７等が設けられている。
【００１６】
ガラス扉４の後側には、遊技盤１１が前枠３に対して例えば前側から着脱自在に装着されている。遊技盤１１の前面側には、発射手段から発射された遊技球を案内するガイドレール１２が環状に装着されると共に、そのガイドレール１２の内側の遊技領域１３内に、中央表示ユニット１４、普通図柄始動手段１５、特別図柄始動手段１６、大入賞手段１７、普通入賞手段１８等の各種遊技部品が配置されている。
【００１７】
中央表示ユニット（遊技部品）１４は、遊技盤１１に対して前側から着脱自在に装着される前装着体２１と、液晶式その他の画像表示手段２２が装着され且つ前装着体２１に対応して遊技盤１１の裏側に着脱自在に装着される後装着体２３（図２等）とを備えている。前装着体２１は、遊技盤１１に形成された中央表示ユニット装着孔（遊技部品装着孔）１１ａ（図２，図６）に沿って配置され且つ画像表示手段２２に対応する表示窓２４が形成された装飾枠２５と、表示窓２４の下部側に沿って装飾枠２５上に配置され且つ入球口２６に入球した遊技球を自由に転動させて前側に落下させるステージ２７等を備えている。
【００１８】
後装着体２３は、前側が開放した略箱形に形成され且つその略中央に画像表示手段２２に対応する開口部３１が形成された後ケース３２と、開口部３１の外側所定位置、例えば上側に対応して後ケース３２内に配置される可動演出ユニット（可動演出手段）３３とを備えており、前装着体２１の後側に対応するように遊技盤１１の裏側に装着され、後ケース３２の前端側に一体に設けられた鍔状の固定部３４においてねじ止め等により遊技盤１１に固定されている。画像表示手段２２は、その表示画面２２ａを開口部３１に一致させた状態で後ケース３２の背面側に着脱自在に固定されている。
【００１９】
可動演出ユニット３３は、図２〜図９、特に図７，図８より明らかなように、例えば後ケース３２に固定されるベースユニット（ベース体）３５と、このベースユニット３５に対して着脱自在に装着される着脱ユニット（着脱体）３６とで構成されている。
【００２０】
ベースユニット３５は、後ケース３２の背壁３２ａの前面に沿って例えば横長矩形状に形成され且つその背壁３２ａに対してねじ止め等により着脱可能に固定されるベース板３７と、このベース板３７の前側の例えば左右両端側に配置された一対の駆動ケース３８ａ，３８ｂとを備え、ベース板３７の前側で且つ左右の駆動ケース３８ａ，３８ｂの間に、着脱ユニット３６を装着するための着脱ユニット装着部３９が形成されている。
【００２１】
左右の駆動ケース３８ａ，３８ｂは、例えば上壁４１、底壁４２、前壁４３、後壁４４及び側壁４５を一体に備えた略箱形に形成されており、互いの側壁４５を対向させた状態で、左右方向に所定距離を置いて配置され、ベース板３７に対してねじ止め等により着脱可能に固定されている。
【００２２】
駆動ケース３８ａ，３８ｂ内には、例えば駆動モータ（駆動源）４６ａ，４６ｂ、ＬＥＤ基板４７ａ，４７ｂ等が配置されている。駆動モータ４６ａ，４６ｂは、駆動軸４８ａ，４８ｂを側壁４５上の挿通孔４９を介して左右方向外向き、即ち着脱ユニット装着部３９側に突出させた状態でそれぞれ駆動ケース３８ａ，３８ｂ内に配置され、例えば後壁４４に着脱自在に固定されている。なお、駆動モータ４６ａ，４６ｂの駆動軸４８ａ，４８ｂには、その先端部に駆動ギヤ５０ａ，５０ｂが固定されている。ＬＥＤ基板４７ａ，４７ｂは、例えばＬＥＤ５１が前向きとなるように駆動ケース３８ａ，３８ｂの前壁４３の後側に配置されている。
【００２３】
また、駆動ケース３８ａ，３８ｂの側壁４５の外面側（着脱ユニット装着部３９側）には、着脱ユニット３６を着脱方向（ここでは前後方向）に案内する着脱案内レール５２と、着脱ユニット３６側と電気的に接続するための固定側接点５３とが配置されている。着脱案内レール５２は、例えば側壁４５の外面側に突設されており、挿通孔４９の上下に配置された一対の水平レール部５４，５５と、挿通孔４９の前側で上下の水平レール部５４，５５の前端側を例えば円弧状に接続する接続レール部５６とで横向きの略Ｕ字状に形成されている。
【００２４】
固定側接点５３は、着脱案内レール５２の外側の所定位置に配置されており、例えば駆動モータ４６ａ，４６ｂ、ＬＥＤ基板４７ａ，４７ｂ等と共に、中継基板等を介して演出制御基板（図示省略）に接続されている。なお、固定側接点５３は、駆動ケース３８ａ，３８ｂの少なくとも一方に設ければよい。
【００２５】
またベース板３７上には、着脱ユニット装着部３９に対応して複数、例えば４つの係合孔５７ａ〜５７ｄが前後方向貫通状に形成されている。本実施形態では、ベース板３７の上縁部に沿って左右一対の上係合孔５７ａ，５７ｂが、同じく下縁部に沿って左右一対の下係合孔５７ｃ，５７ｄが設けられているものとする。
【００２６】
着脱ユニット３６は、本体ケース６１と、この本体ケース６１の例えば前側に上下方向移動可能に配置される上下の扉体（可動体）６２ａ，６２ｂと、本体ケース６１内に配置され且つ駆動モータ４６ａ，４６ｂの駆動力をそれぞれ上下の扉体６２ａ，６２ｂに伝達する駆動力伝達手段６３ａ，６３ｂと、扉体６２ａ，６２ｂが所定の原点位置（所定動作位置）にあることを検出する原点位置検出手段（位置検出手段）６４ａ，６４ｂとを備えている。
【００２７】
本体ケース６１は、上壁６５、底壁６６、左右の側壁６７，６８及び前壁６９により例えば背面側が開放した略箱形に形成されており、着脱ユニット装着部３９に対して例えば前側から着脱可能となっている。前壁６９の前面側には、例えば任意の装飾が施された装飾面６９ａが形成されている。
【００２８】
本体ケース６１の左右の側壁６７，６８は、駆動ケース３８ａ，３８ｂの各側壁４５に近接又は当接する位置に設けられると共に、着脱案内レール５２に対応する被案内部７０が形成されている。この被案内部７０は、例えば側壁６７，６８の後縁側から前向きに凹入する横向き略Ｕ字状の切欠部により形成されており、本体ケース６１を着脱ユニット装着部３９に対して前側から装着する際に着脱案内レール５２の外縁側に嵌合するようになっている。なお本実施形態では、被案内部７０に沿って外向き（駆動ケース３８ａ，３８ｂ側）に位置決めリブ７０ａが突設されており、この位置決めリブ７０ａが駆動ケース３８ａ，３８ｂの各側壁４５に当接することにより、本体ケース６１側の側壁６７，６８と駆動ケース３８ａ，３８ｂ側の側壁４５との間に一定の隙間が保持されるようになっている。
【００２９】
本体ケース６１が着脱ユニット装着部３９に装着されると、駆動モータ４６ａ，４６ｂの駆動軸４８ａ，４８ｂ及びその先端側の駆動ギヤ５０ａ，５０ｂが、被案内部７０内を経て本体ケース６１内に突出した状態となる。
【００３０】
また、本体ケース６１の後端側には、本体ケース６１を着脱ユニット装着部３９に装着した状態でロックするための複数（４個）の係合爪（ロック手段）７１ａ〜７１ｄが、ベース板３７側の複数（４個）の係合孔５７ａ〜５７ｄに対応して設けられている。これらの係合爪７１ａ〜７１ｄのうち、上係合孔５７ａ，５７ｂに対応する上係合爪７１ａ，７１ｂは上壁６５の後縁部に配置され、下係合孔５７ｃ，５７ｄに対応する下係合爪７１ｃ，７１ｄは底壁６６の後縁部に配置されている。
【００３１】
係合爪７１ａ〜７１ｄは、係合孔５７ａ〜５７ｄに対して前側から挿通可能な後ろ向き突出状に形成されており、本体ケース６１が着脱ユニット装着部３９に装着されたとき、先端部（後端部）に設けられた爪部７２が係合孔５７ａ〜５７ｄの後縁部に係脱自在に係合して、本体ケース６１の前側への移動を規制するようになっている。爪部７２は、係合爪７１ａ〜７１ｄの外面側（上係合爪７１ａ，７１ｂは上面側、下係合爪７１ｃ，７１ｄは下面側）に設けられており、係合爪７１ａ〜７１ｄを係合孔５７ａ〜５７ｄ内で本体ケース６１に対して内向き（上係合爪７１ａ，７１ｂは下向き、下係合爪７１ｃ，７１ｄは上向き）に弾性変形させることによりその係合を解除可能となっている。なお、本体ケース６１の上壁６５及び底壁６６には、各係合爪７１ａ〜７１ｄの両側に対応して前向き凹入状の切込部７３（図３〜図５）が形成されており、それら切込部７３の間を押圧操作することにより、可動演出ユニット３３の前側から各係合爪７１ａ〜７１ｄの係合を解除することが可能となっている。
【００３２】
このように、着脱ユニット装着部３９に前側から装着された本体ケース６１は、左右の駆動ケース３８ａ，３８ｂの互いに対向する側壁４５，４５によって左右方向の移動が規制され、被案内部７０が着脱案内レール５２に係合することによって上下方向の移動が規制され、係合爪７１ａ〜７１ｄが係合孔５７ａ〜５７ｄに係合することによって前後方向の移動が規制されるようになっている。
【００３３】
本体ケース６１の前側には、上扉体６２ａを上下方向に案内する左右一対のレール７４，７５と、下扉体６２ｂを上下方向に案内する左右一対のレール７６，７７とが設けられている。上扉用の左右のレール７４，７５と下扉用の左右のレール７６，７７とはそれぞれ左右に隣接して配置されており、例えば本体ケース６１の左端部前側には上扉用左レール７４の右側に下扉用左レール７６が配置され、本体ケース６１の右端部前側には上扉用右レール７５の右側に下扉用右レール７７が配置されている。
【００３４】
なお、本体ケース６１の前側には、断面Ｌ字型に形成された左右一対のカバー壁６１ａ，６１ｂが前壁６９の左右両縁部に沿って一体に設けられており、それら左右のカバー壁６１ａ，６１ｂと前壁６９とで形成された断面コの字型の領域内に上扉用及び下扉用の左右のレール７４〜７７が配置されている。
【００３５】
上扉体６２ａは、横長矩形状の扉本体７８ａと、その扉本体７８ａの左右両縁部に沿って配置され且つ下端側が下向きに延設された左右の被案内部７９ａ，８０ａと、それら左右の被案内部７９ａ，８０ａに沿ってそれぞれ複数（ここでは各２つ）配置され且つ例えば横軸廻りに回転可能なコロ８１ａ，８２ａとを備え、左被案内部７９ａ及びコロ８１ａが上扉用左レール７４に、右被案内部８０ａ及びコロ８２ａが上扉用右レール７５に、それぞれ上側から挿入されることにより、装飾面６９ａの上部側を前側から略覆う閉鎖位置（図６に実線で示す）と装飾面６９ａの上側に退避する開放位置（図６に二点鎖線で示す）との間で移動可能に支持されている。左右の被案内部７９ａ，８０ａには、例えばその背面側に上下方向のラックギヤ８３ａ，８４ａが配置されている。
【００３６】
また下扉体６２ｂは、横長矩形状の扉本体７８ｂと、その扉本体７８ｂの左右両縁部に沿って配置され且つ上端側が上向きに延設された左右の被案内部７９ｂ，８０ｂと、それら左右の被案内部７９ｂ，８０ｂに沿ってそれぞれ複数（ここでは各２つ）配置され且つ例えば横軸廻りに回転可能なコロ８１ｂ，８２ｂとを備え、左被案内部７９ｂ及びコロ８１ｂが下扉用左レール７６に、右被案内部８０ｂ及びコロ８２ｂが下扉用右レール７７に、それぞれ下側から挿入されることにより、装飾面６９ａの下部側を前側から略覆う閉鎖位置（図６に実線で示す）と装飾面６９ａの下側に退避する開放位置（図６に二点鎖線で示す）との間で移動可能に支持されている。左右の被案内部７９ｂ，８０ｂには、例えばその背面側に上下方向のラックギヤ８３ｂ，８４ｂが配置されている。
【００３７】
なお、上扉体６２ａには、例えば扉本体７８ａと左被案内部７９ａとの間に、下扉体６２ｂ側の左被案内部７９ｂに対応する上向きの凹入部６０ａが形成され、また下扉体６２ｂには、例えば扉本体７８ｂと右被案内部８０ｂとの間に、上扉体６２ａ側の右被案内部８０ａに対応する下向きの凹入部６０ｂが形成されており、共に閉鎖位置にあるときには互いの扉本体７８ａ，７８ｂの縁部同士が上下に略当接するようになっている。
【００３８】
駆動力伝達手段６３ａは、左側の駆動モータ４６ａの駆動力を上扉体６２ａに伝達するためのもので、図８，図９等に示すように、上扉体６２ａの左右のラックギヤ８３ａ，８４ａに対応するピニオンギヤ８５ａ，８６ａと、それら左右のピニオンギヤ８５ａ，８６ａを左右に連結してそれらの回転を同期させる連動軸８７ａと、その連動軸８７ａを例えば左右両端部で回転自在に支持する一対の軸受け部８８ａとを備え、着脱ユニット３６がベースユニット３５に装着されたとき、左側のピニオンギヤ８５ａが駆動ギヤ５０ａに噛合するようになっている。ピニオンギヤ８５ａ，８６ａは、例えば本体ケース６１の前壁６９に設けられたギヤ挿通孔８９ａ，９０ａを介してその前側のラックギヤ８３ａ，８４ａに噛合している。なお、軸受け部８８ａは、例えば本体ケース６１の内側に着脱自在に固定される軸受け部材５９上に設けられている。
【００３９】
駆動モータ４６ａが作動し、駆動ギヤ５０ａが所定方向に回転すると、この駆動ギヤ５０ａに噛合している左側のピニオンギヤ８５ａ、及びこのピニオンギヤ８５ａと連動軸８７ａで連結されている右側のピニオンギヤ８６ａが同方向に同速度で回転し、それら左右のピニオンギヤ８５ａ，８６ａに噛合している左右のラックギヤ８３ａ，８４ａを介して上扉体６２ａが上下方向に移動する。
【００４０】
また、駆動力伝達手段６３ｂは、右側の駆動モータ４６ｂの駆動力を下扉体６２ｂに伝達するためのもので、図８，図９等に示すように、下扉体６２ｂの左右のラックギヤ８３ｂ，８４ｂに対応するピニオンギヤ８５ｂ，８６ｂと、それら左右のピニオンギヤ８５ｂ，８６ｂを左右に連結してそれらの回転を同期させる連動軸８７ｂと、その連動軸８７ｂを例えば左右両端部で回転自在に支持する一対の軸受け部８８ｂとを備え、着脱ユニット３６がベースユニット３５に装着されたとき、右側のピニオンギヤ８６ｂが駆動ギヤ５０ｂに噛合するようになっている。ピニオンギヤ８５ｂ，８６ｂは、例えば本体ケース６１の前壁６９に設けられたギヤ挿通孔８９ｂ，９０ｂを介してその前側のラックギヤ８３ｂ，８４ｂに噛合している。なお、軸受け部８８ｂは、例えば軸受け部８８ａと同じく軸受け部材５９上に設けられている。
【００４１】
駆動モータ４６ｂが作動し、駆動ギヤ５０ｂが所定方向に回転すると、この駆動ギヤ５０ｂに噛合している右側のピニオンギヤ８６ｂ、及びこのピニオンギヤ８６ｂと連動軸８７ｂで連結されている左側のピニオンギヤ８５ｂが同方向に同速度で回転し、それら左右のピニオンギヤ８５ｂ，８６ｂに噛合している左右のラックギヤ８３ｂ，８４ｂを介して下扉体６２ｂが上下方向に移動する。
【００４２】
このように、駆動モータ４６ａ，４６ｂを同時に、又は個別に所定方向に作動させることにより、上下の扉体６２ａ，６２ｂを同時に、又は個別に開閉させることができる。また、駆動ギヤ５０ａ，５０ｂの軸（駆動軸４８ａ，４８ｂ）に対して、ピニオンギヤ８５ａ，８６ｂの軸（連動軸８７ａ，８７ｂ）は上下方向（着脱ユニット３６の着脱方向に直交する方向）にずれた位置に配置されているため、着脱ユニット３６をベースユニット３５に装着する際にピニオンギヤ８５ａ，８６ｂを駆動ギヤ５０ａ，５０ｂにスムーズに噛合させることができる。
【００４３】
原点位置検出手段６４ａ，６４ｂは、例えば透過型フォトセンサにより構成されており、それぞれ扉体６２ａ，６２ｂが原点位置（所定動作位置）にあるときに、例えばピニオンギヤ（連動体）８５ａ，８６ｂ上に設けられた例えば突起状の被検出部（所定部位）９１ａ，９１ｂを検出してＯＮとなるように構成されている。なお、上下の扉体６２ａ，６２ｂについては例えば閉鎖位置が原点位置に設定されており、被検出部９１ａ，９１ｂは、扉体６２ａ，６２ｂが閉鎖位置にあるときに原点位置検出手段６４ａ，６４ｂによって検出される位置に設けられている。
【００４４】
また、本体ケース６１内には、例えば前壁６９の後側で且つ連動軸８７ａ，８７ｂ等の前側に、ＬＥＤ基板９２が例えばＬＥＤ（光源）９３を前側に向けた状態で配置されている。更に、例えば本体ケース６１の側壁６７には、その外面側（駆動ケース３８ａ，３８ｂ側）で且つベースユニット３５側の固定側接点５３に対応する位置に着脱側接点９４が設けられている。この着脱側接点９４は、ベースユニット３５側と電気的に接続するためのもので、本体ケース６１内のＬＥＤ基板９２、原点位置検出手段６４ａ，６４ｂ等が接続されており、着脱ユニット３６がベースユニット３５に装着されたとき、ベースユニット３５側の固定側接点５３に接続されるようになっている。
【００４５】
なお、図示は省略したが、扉体６２ａ，６２ｂの可動範囲をそれぞれ所定範囲内に規制するための規制手段、扉体６２ａ，６２ｂ（特に下扉体６２ｂ）を原点位置に保持するための原点保持手段等を設けることが望ましい。
【００４６】
以上のように構成された可動演出ユニット３３は、後装着体２３を介して遊技盤１１に装着されたとき、図６に示すように例えばその前部が中央表示ユニット装着孔１１ａ内又はそれよりも前側に位置するように配置され、また可動演出ユニット３３の上下両側には、中央表示ユニット装着孔１１ａ及び後装着体２３との間に、手指を挿入可能な程度の隙間９５が形成されている。また、前装着体２１は、可動演出ユニット３３を前側から略覆うように遊技盤１１の前側に装着されると共に、可動演出ユニット３３側の扉体６２ａ，６２ｂの前側に対応して演出窓９６が形成されている。
【００４７】
例えば、いわゆる表替えによる機種変更により、可動演出ユニット３３の装飾面６９ａ等のデザインを変更する場合には、まず遊技盤１１から前装着体２１を取り外し、遊技盤１１の前側から可動演出ユニット３３の上下の隙間９５に手指を挿入して係合爪７１ａ〜７１ｄの係合を解除し、その状態で着脱ユニット３６を前向きに引き出すことにより、ベースユニット３５を固定したまま着脱ユニット３６のみを取り外すことができる。そして、装飾面６９ａ等のデザインが異なる新たな着脱ユニット３６を、先ほどの取り外し時とは逆の手順でベースユニット３５に装着すればよい。新たな着脱ユニット３６がベースユニット３５に装着され、係合爪７１ａ〜７１ｄが係合孔５７ａ〜５７ｄにそれぞれ係合すると、ベースユニット３５側の駆動ギヤ５０ａ，５０ｂが着脱ユニット３６側のピニオンギヤ８５ａ，８６ｂに噛合し、駆動モータ４６ａ，４６ｂと上下の扉体６２ａ，６２ｂとが連動状態になると共に、着脱ユニット３６側の着脱側接点９４とベースユニット３５側の固定側接点５３とが互いに接触し、着脱ユニット３６側のＬＥＤ基板９２、原点位置検出手段６４ａ，６４ｂ等が図示しない演出制御基板に接続された状態となる。
【００４８】
以上説明したように、本実施形態のパチンコ機では、可動演出ユニット（可動演出手段）３３が、駆動モータ（駆動源）４６ａ，４６ｂが搭載されたベースユニット（ベース体）３５と、上下の扉体（可動体）６２ａ，６２ｂが搭載され且つベースユニット３５に対して着脱自在に設けられた着脱ユニット（着脱体）３６とで構成され、着脱ユニット３６をベースユニット３５に装着することによって駆動モータ４６ａ，４６ｂと上下の扉体６２ａ，６２ｂとが連動状態となり、着脱ユニット３６をベースユニット３５から取り外すことによってその連動状態が解除されるように構成されているため、可動体の外観やその種類を変更する際には着脱ユニット３６全体ではなく着脱ユニット３６のみを交換すればよく、低コストで作業も容易である。
【００４９】
図１０及び図１１は本発明の第２の実施形態を例示し、第１の実施形態の着脱ユニット３６を、回転ドラム型の可動体を備えた着脱ユニット３６に変更した例を示している。なお、本実施形態のパチンコ機は、着脱ユニット３６以外の構成は全て第１の実施形態と共通であるとする。
【００５０】
本実施形態の着脱ユニット３６は、本体ケース６１と、この本体ケース６１内に配置される回転ドラム（可動体）１０１ａ，１０１ｂと、本体ケース６１内に配置され且つ駆動モータ４６ａ，４６ｂの駆動力を回転ドラム１０１ａ，１０１ｂに伝達する駆動力伝達手段１０２ａ，１０２ｂと、回転ドラム１０１ａ，１０１ｂが所定の原点位置（所定動作位置）にあることを検出する原点位置検出手段（位置検出手段）１０３ａ，１０３ｂとを備えている。
【００５１】
本体ケース６１は、第１の実施形態と同様、上壁６５、底壁６６、左右の側壁６７，６８及び前壁６９により例えば背面側が開放した略箱形に形成されており、着脱ユニット装着部３９に対して例えば前側から着脱可能となっている。
【００５２】
本体ケース６１の左右の側壁６７，６８には、第１の実施形態と同様、駆動ケース３８ａ，３８ｂ側の着脱案内レール５２に対応して横向き略Ｕ字状の切欠部よりなる被案内部７０と、その被案内部７０に沿って外向き突出状の位置決めリブ７０ａとが形成されており、本体ケース６１を着脱ユニット装着部３９に対して前側から装着する際に着脱案内レール５２の外縁側に嵌合するようになっている。本体ケース６１が着脱ユニット装着部３９に装着されると、駆動モータ４６ａ，４６ｂの駆動軸４８ａ，４８ｂ及びその先端側の駆動ギヤ５０ａ，５０ｂが、被案内部７０内を経て本体ケース６１内に突出した状態となる。
【００５３】
また、本体ケース６１の後端側には、第１の実施形態と同様、ベース板３７側の複数（４個）の係合孔５７ａ〜５７ｄに対応する複数（４個）の係合爪（ロック手段）７１ａ〜７１ｄが設けられている。
【００５４】
回転ドラム１０１ａ，１０１ｂは、本体ケース６１内に左右に隣接して配置されており、例えば左右方向に配置されたドラム軸１０４ａ，１０４ｂと、このドラム軸１０４ａ，１０４ｂを中心とする円筒状に形成されたドラム部１０５ａ，１０５ｂと、ドラム軸１０４ａ，１０４ｂに固定されるハブ部１０６ａ，１０６ｂと、ドラム部１０５ａ，１０５ｂの一端側（ここでは側壁６７，６８側）とハブ部１０６ａ，１０６ｂとを半径方向に連結するスポーク部１０７ａ，１０７ｂとを備え、本体ケース６１の前壁６９に設けられた例えば開口状のドラム表示窓１０８ａ，１０８ｂからドラム部１０５ａ，１０５ｂの前側の一部を前側に露出させた状態で、ドラム軸１０４ａ，１０４ｂの両端部がそれぞれ一対の軸受け部１０９ａ，１０９ｂによって回転自在に保持されている。なお、軸受け部１０９ａ，１０９ｂは、例えば本体ケース６１に着脱自在に固定される軸受け部材１１０ａ，１１１ａ，１１０ｂ，１１１ｂ上に設けられている。
【００５５】
ドラム部１０５ａ，１０５ｂは例えば光透過性を有し、その外面側には複数種類の演出用絵柄等が周方向に等間隔で配置されており、回転ドラム１０１ａ，１０１ｂはそれら複数の演出用絵柄等の何れかがドラム表示窓１０８ａ，１０８ｂ内に表示された状態で停止するようになっている。
【００５６】
駆動力伝達手段１０２ａは、左側の駆動モータ４６ａの駆動力を左側の回転ドラム１０１ａに伝達するためのもので、例えばドラム部１０５ａの外側でドラム軸１０４ａに固定された左連動ギヤ１１２ａを備え、着脱ユニット３６がベースユニット３５に装着されたとき、その左連動ギヤ１１２ａが駆動ギヤ５０ａに噛合するようになっている。駆動モータ４６ａが作動し、駆動ギヤ５０ａが所定方向に回転すると、この駆動ギヤ５０ａに噛合している左連動ギヤ１１２ａを介して左側の回転ドラム１０１ａが所定方向に回転する。
【００５７】
また、駆動力伝達手段１０２ｂは、右側の駆動モータ４６ｂの駆動力を右側の回転ドラム１０１ｂに伝達するためのもので、例えばドラム部１０５ｂの外側でドラム軸１０４ｂに固定された右連動ギヤ１１２ｂを備え、着脱ユニット３６がベースユニット３５に装着されたとき、その右連動ギヤ１１２ｂが駆動ギヤ５０ｂに噛合するようになっている。駆動モータ４６ｂが作動し、駆動ギヤ５０ｂが所定方向に回転すると、この駆動ギヤ５０ｂに噛合している右連動ギヤ１１２ｂを介して右側の回転ドラム１０１ｂが所定方向に回転する。
【００５８】
このように、駆動モータ４６ａ，４６ｂを同時に、又は個別に所定方向に作動させることにより、左右の回転ドラム１０１ａ，１０１ｂを同時に、又は個別に回転させることができる。
【００５９】
原点位置検出手段１０３ａ，１０３ｂは、例えば透過型フォトセンサにより構成されており、それぞれ回転ドラム１０１ａ，１０１ｂが原点位置（所定動作位置）にあるときに、例えば左右の連動ギヤ（連動体）１１２ａ，１１２ｂ上に設けられた例えば突起状の被検出部（所定部位）１１３ａ，１１３ｂを検出してＯＮとなるように構成されている。なお、左右の回転ドラム１０１ａ，１０１ｂについては例えば特定の絵柄がドラム表示窓１０８ａ，１０８ｂに表示される位置が原点位置に設定されている。
【００６０】
また、回転ドラム１０１ａ，１０１ｂ内には、例えばドラム軸１０４ａ，１０４ｂの前側に、ＬＥＤ基板１１４が例えばＬＥＤ１１５を前側に向けた状態で配置されている。更に、例えば本体ケース６１の側壁６７には、その外面側（駆動ケース３８ａ，３８ｂ側）で且つベースユニット３５側の固定側接点５３に対応する位置に着脱側接点９４が設けられている。この着脱側接点９４は、ベースユニット３５側と電気的に接続するためのもので、本体ケース６１内のＬＥＤ基板１１４、原点位置検出手段１０３ａ，１０３ｂ等が接続されており、着脱ユニット３６がベースユニット３５に装着されたとき、ベースユニット３５側の固定側接点５３に接続されるようになっている。
【００６１】
以上のような着脱ユニット３６についても、ベースユニット３５を固定したまま、第１の実施形態と同様の手順で着脱することができる。また、ベースユニット３５側の構成は第１の実施形態と全く同じである。従って、いわゆる表替えによる機種変更時に、例えば第１の実施形態の着脱ユニット３６を本実施形態の着脱ユニット３６に取り替えることで、可動体の種類についても低コスト且つ容易に変更することが可能である。
【００６２】
図１２及び図１３は本発明の第３の実施形態を例示し、第１，第２の実施形態の着脱ユニット３６を、円盤型の可動体を備えた着脱ユニット３６に変更した例を示している。なお、本実施形態のパチンコ機は、着脱ユニット３６以外の構成は全て第１，第２の実施形態と共通であるとする。
【００６３】
本実施形態の着脱ユニット３６は、本体ケース６１と、この本体ケース６１の前側に配置される回転プレート（可動体）１２１と、本体ケース６１内に配置され且つ駆動モータ４６ａの駆動力を回転プレート１２１に伝達する駆動力伝達手段１２２と、回転プレート１２１が所定の原点位置（所定動作位置）にあることを検出する原点位置検出手段（位置検出手段）１２３とを備えている。
【００６４】
本体ケース６１は、第１，第２の実施形態と同様、上壁６５、底壁６６、左右の側壁６７，６８及び前壁６９により例えば背面側が開放した略箱形に形成されており、着脱ユニット装着部３９に対して例えば前側から着脱可能となっている。本体ケース６１の左右の側壁６７，６８には、第１，第２の実施形態と同様、駆動ケース３８ａ，３８ｂ側の着脱案内レール５２に対応して横向き略Ｕ字状の切欠部よりなる被案内部７０と、その被案内部７０に沿って外向き突出状の位置決めリブ７０ａとが形成されており、本体ケース６１を着脱ユニット装着部３９に対して前側から装着する際に着脱案内レール５２の外縁側に嵌合するようになっている。本体ケース６１が着脱ユニット装着部３９に装着されると、駆動モータ４６ａ，４６ｂの駆動軸４８ａ，４８ｂ及びその先端側の駆動ギヤ５０ａ，５０ｂが、被案内部７０内を経て本体ケース６１内に突出した状態となる。
【００６５】
また、本体ケース６１の後端側には、第１，第２の実施形態と同様、ベース板３７側の複数（４個）の係合孔５７ａ〜５７ｄに対応する複数（４個）の係合爪（ロック手段）７１ａ〜７１ｄが設けられている。
【００６６】
回転プレート１２１は、本体ケース６１の前壁６９上に形成された軸受け部１２４ａにより回転自在に支持された前後方向の回転プレート軸１２４の前端側に固定されており、例えばその前面側には任意の装飾が施されている。また、回転プレート１２１は例えば光透過性を有し、その後側にはＬＥＤ基板１２５が配置されている。
【００６７】
駆動力伝達手段１２２は、左側の駆動モータ４６ａの駆動力を回転プレート１２１に伝達するためのもので、回転プレート軸１２４の後端側に固定された被駆動側ベベルギヤ１２６と、左右一対の軸受け部１２７により回転自在に保持された連動軸１２８上に固定され且つ被駆動側ベベルギヤ１２６に噛合する駆動側ベベルギヤ１２９と、この駆動側ベベルギヤ１２９と同じ連動軸１２８上に固定された連動ギヤ１３０とを備え、着脱ユニット３６がベースユニット３５に装着されたとき、連動ギヤ１３０が駆動ギヤ５０ａに噛合するようになっている。駆動モータ４６ａが作動し、駆動ギヤ５０ａが所定方向に回転すると、この駆動ギヤ５０ａに噛合している連動ギヤ１３０、及びこの連動ギヤ１３０と連動軸１２８で連結されている駆動側ベベルギヤ１２９が回転し、その駆動側ベベルギヤ１２９に噛合している被駆動側ベベルギヤ１２６、回転プレート軸１２４を介して回転プレート１２１が所定方向に回転する。なお、軸受け部１２７は、例えば本体ケース６１の内側に着脱自在に固定される軸受け部材１３１上に設けられている。
【００６８】
またこのように、本実施形態の着脱ユニット３６の場合、左右の駆動モータ４６ａ，４６ｂのうちの一方の駆動モータ４６ａのみが回転プレート１２１の駆動に用いられるようになっている。
【００６９】
原点位置検出手段（位置検出手段）１２３は、例えば透過型フォトセンサにより構成されており、回転プレート１２１が原点位置（所定動作位置）にあるときに、例えば連動ギヤ（連動体）１３０上に設けられた突起状の被検出部（所定部位）１３２を検出してＯＮとなるように構成されている。
【００７０】
また、本体ケース６１内には、例えば前壁６９の後側で且つ連動軸１２８等の前側に、ＬＥＤ基板１３３が例えばＬＥＤ（光源）１３４を前側に向けた状態で配置されている。更に、例えば本体ケース６１の側壁６７には、その外面側（駆動ケース３８ａ，３８ｂ側）で且つベースユニット３５側の固定側接点５３に対応する位置に着脱側接点９４が設けられている。この着脱側接点９４は、ベースユニット３５側と電気的に接続するためのもので、本体ケース６１内のＬＥＤ基板１３３、原点位置検出手段１２３等が接続されており、着脱ユニット３６がベースユニット３５に装着されたとき、ベースユニット３５側の固定側接点５３に接続されるようになっている。
【００７１】
以上のような着脱ユニット３６についても、ベースユニット３５を固定したまま、第１，第２の実施形態と同様の手順で着脱することができる。また、ベースユニット３５側の構成は第１，第２の実施形態と全く同じである。従って、いわゆる表替えによる機種変更時に、例えば第１，第２の実施形態の着脱ユニット３６を本実施形態の着脱ユニット３６に取り替えることで、可動体の種類を低コスト且つ容易に変更することが可能である。また、本実施形態のように、可動体の種類によっては複数の駆動モータ４６ａ，４６ｂの一部のみを用い、その他は遊ばせておいてもよい。
【００７２】
図１４及び図１５は本発明の第４の実施形態を例示し、第１の実施形態を一部変更して、電気的に接続する必要がある原点位置検出手段６４ａ，６４ｂ、ＬＥＤ基板９２等については全てベースユニット３５側に配置し、着脱ユニット３６側には設けないようにした例を示している。なお、以下の説明で言及しない構成については第１の実施形態と同様であるとする。
【００７３】
本実施形態の可動演出ユニット３３では、原点位置検出手段６４ａ，６４ｂは、それぞれ例えば駆動ケース３８ａ，３８ｂの側壁４５，４５から着脱ユニット装着部３９側に突設されたセンサ支持部１４１上に配置されており、着脱ユニット３６が着脱ユニット装着部３９に装着されたとき、駆動ギヤ５０ａ，５０ｂ等と共に本体ケース６１内に突出して、例えば本体ケース６１側のピニオンギヤ８５ａ，８６ｂ上に設けられた被検出部（所定部位）９１ａ，９１ｂを検出可能な状態となる。
【００７４】
また本実施形態では、ＬＥＤ基板９２は本体ケース６１ではなくその後側のベース板３７上に配置されており、着脱ユニット３６上には、そのＬＥＤ基板９２上のＬＥＤ（光源）９３から発せられた光を前壁６９上の所定部位の後側に導く円柱状その他の導光手段１４２が、例えば前壁６９の後側に一体に設けられている。
【００７５】
なお、電気的に接続する必要がある原点位置検出手段６４ａ，６４ｂ、ＬＥＤ基板９２等を全てベースユニット３５側に配置しているため、固定側接点５３、着脱側接点９４等を設ける必要はない。
【００７６】
以上のように、電気的に接続する必要がある原点位置検出手段６４ａ，６４ｂ、ＬＥＤ基板９２等を全てベースユニット３５側に配置し、着脱ユニット３６側には設けないように構成することで、着脱ユニット３６を交換する際のコストをより低減することができる。
【００７７】
以上、本発明の実施形態について詳述したが、本発明はこれらの実施形態に限定されるものではなく、本発明の趣旨を逸脱しない範囲で種々の変更が可能である。例えば、ベース体側に配置される駆動源は１つでもよいし３つ以上でもよい。また、駆動源の配置位置は着脱体の両端側に限られるものではなく、着脱体に対して上下左右等の任意の位置に配置可能である。また駆動源はモータに限られるものではなく、電磁ソレノイド等でもよい。
【００７８】
可動演出手段は横長状である必要はなく、例えば縦長状に形成して画像表示手段の側方に配置するなど、配置位置等に応じて任意の形状に形成可能である。また、可動演出手段を画像表示手段の周囲等に複数配置してもよいし、一つのベース体に対して複数の着脱体を設けてもよい。この場合、図１６に示すように例えば隣接する可動演出体同士で１つの駆動ケース３８を共用してもよい。
【００７９】
第１〜第３の実施形態では、ベース体側に固定側接点５３を、着脱体側に着脱側接点９４をそれぞれ配置し、着脱体をベース体に対して着脱することによってそれら接点同士が自動的に導通／切断されるように構成した例を示したが、ベース体側のコネクタと着脱体側のコネクタとを手動で連結することにより両者を電気的に接続するように構成してもよい。
【００８０】
可動体の種類は任意であり、実施形態で示した以外の可動体を用いてもよい。また、１つの着脱体に複数個、或いは複数種類の可動体を配置してもよい。
【００８１】
なお、実施形態ではパチンコ機について例示したが、アレンジボール機、雀球遊技機等の他の弾球遊技機はもちろん、スロットマシン等の弾球遊技機以外の各種遊技機でも同様に実施可能であることはいうまでもない。
【符号の説明】
【００８２】
１    遊技機本体
１１    遊技盤
１１ａ  中央表示ユニット装着孔（遊技部品装着孔）
１４    中央表示ユニット（遊技部品）
２１    前装着体
２３    後装着体
３３    可動演出ユニット（可動演出手段）
３５    ベースユニット（ベース体）
３６    着脱ユニット（着脱体）
４６ａ  駆動モータ（駆動源）
４６ｂ  駆動モータ（駆動源
６２ａ  上扉体（可動体）
６２ｂ  下扉体（可動体）
６４ａ  原点位置検出手段（位置検出手段）
６４ｂ  原点位置検出手段（位置検出手段）
７１ａ〜７１ｄ  係合爪（ロック手段）
９１ａ  被検出部（所定部位）
９１ｂ  被検出部（所定部位）
９３    ＬＥＤ（光源）
１０１ａ  回転ドラム（可動体）
１０１ｂ  回転ドラム（可動体）
１０３ａ  原点位置検出手段（位置検出手段）
１０３ｂ  原点位置検出手段（位置検出手段）
１１３ａ  被検出部（所定部位）
１１３ｂ  被検出部（所定部位）
１２１    回転プレート
１２３    原点位置検出手段（位置検出手段）
１３２    被検出部（所定部位）
１４２    導光手段
【図１】
2014087460.tif 000003
【図２】
2014087460.tif 000004
【図３】
2014087460.tif 000005
【図４】
2014087460.tif 000006
【図５】
2014087460.tif 000007
【図６】
2014087460.tif 000008
【図７】
2014087460.tif 000009
【図８】
2014087460.tif 000010
【図９】
2014087460.tif 000011
【図１０】
2014087460.tif 000012
【図１１】
2014087460.tif 000013
【図１２】
2014087460.tif 000014
【図１３】
2014087460.tif 000015
【図１４】
2014087460.tif 000016
【図１５】
2014087460.tif 000017
【図１６】
2014087460.tif 000018